(57)【要約】【課題】菌糸を有する生物の増殖を従来よりも効率良く抑制する。【解決手段】菌糸９２を有する生物９０に光を照射することで、菌糸９２の成長を抑制する菌糸抑制装置１は、ピーク波長が３８０ｎｍ以上４１０ｎｍ以下の範囲に含まれる光を出射する紫色光源１２、及び、ピーク波長が２８０ｎｍ以上３５０ｎｍ未満の範囲に含まれる光を出射するＵＶＢ光源１５の少なくとも一方を有する第１光源部１０と、ピーク波長が３５０ｎｍ以上３８０ｎｍ未満の範囲に含まれる光を出射する青色光源２２、及び、ピーク波長が４１５ｎｍ以上４８０ｎｍ以下の範囲に含まれる光を出射するＵＶＡ光源２５の少なくとも一方を有する第２光源部２０とを備える。【選択図】図１
2020044218.tif 000002
【特許請求の範囲】
【請求項１】
菌糸を有する生物に光を照射することで、前記菌糸の成長を抑制する菌糸抑制装置であって、
ピーク波長が３８０ｎｍ以上４１０ｎｍ以下の範囲に含まれる光を出射する第１光源、及び、ピーク波長が２８０ｎｍ以上３５０ｎｍ未満の範囲に含まれる光を出射する第２光源の少なくとも一方を有する第１光源部と、
ピーク波長が３５０ｎｍ以上３８０ｎｍ未満の範囲に含まれる光を出射する第３光源、及び、ピーク波長が４１５ｎｍ以上４８０ｎｍ以下の範囲に含まれる光を出射する第４光源の少なくとも一方を有する第２光源部とを備える
菌糸抑制装置。
【請求項２】
さらに、前記第２光源部を点灯させた後、前記第１光源部を点灯させる制御部を備える
請求項１に記載の菌糸抑制装置。
【請求項３】
前記制御部は、前記第１光源部を点灯させている期間には前記第２光源部を消灯し、前記第２光源部を点灯させている期間には前記第１光源部を消灯する
請求項２に記載の菌糸抑制装置。
【請求項４】
前記制御部は、前記第１光源部の点灯と前記第２光源部の点灯とを交互に繰り返し行う
請求項２又は３に記載の菌糸抑制装置。
【請求項５】
前記第１光源部は、前記第１光源と、前記第２光源とを有し、
前記第２光源部は、前記第３光源と、前記第４光源とを有する
請求項１〜４のいずれか１項に記載の菌糸抑制装置。
【請求項６】
前記第１光源部は、前記第１光源及び前記第２光源のうち前記第１光源のみを有し、
前記第２光源部は、前記第３光源及び前記第４光源のうち前記第４光源のみを有する
請求項１〜４のいずれか１項に記載の菌糸抑制装置。
【請求項７】
前記第２光源部からの光の照射エネルギーは、前記第１光源部からの光の照射エネルギー以下である
請求項１〜６のいずれか１項に記載の菌糸抑制装置。
【請求項８】
前記第２光源部からの光の照射積算量は、前記第１光源部からの光の照射積算量以下である
請求項１〜６のいずれか１項に記載の菌糸抑制装置。
【請求項９】
前記第２光源部からの光の照射時間は、前記第１光源部からの光の照射時間以下である
請求項１〜６のいずれか１項に記載の菌糸抑制装置。
【請求項１０】
前記生物は、黒カビ又はピンク酵母である
請求項１〜９のいずれか１項に記載の菌糸抑制装置。
【請求項１１】
前記生物は、緑膿菌である
請求項１〜９のいずれか１項に記載の菌糸抑制装置。
【請求項１２】
菌糸を有する生物に光を照射することで、前記菌糸の成長を抑制する菌糸抑制方法であって、
ピーク波長が３８０ｎｍ以上４１０ｎｍ以下の範囲に含まれる光、及び、ピーク波長が２８０ｎｍ以上３５０ｎｍ未満の範囲に含まれる光の少なくとも一方を前記生物に照射する工程と、
ピーク波長が３５０ｎｍ以上３８０ｎｍ未満の範囲に含まれる光、及び、ピーク波長が４１５ｎｍ以上４８０ｎｍ以下の範囲に含まれる光の少なくとも一方を前記生物に照射する工程とを含む
菌糸抑制方法。
【発明の詳細な説明】
【技術分野】
【０００１】
本発明は、菌糸抑制装置及び菌糸抑制方法に関する。
【背景技術】
【０００２】
浴室若しくはキッチンなどの水廻り設備、又は、天井裏若しくは床下などの湿気が多い場所には、カビが発生する。発生したカビを除去するには、例えば、光触媒を利用する技術が知られている。例えば、特許文献１には、紫外光を光触媒に照射することで光触媒を活性化させて、触媒反応により抗菌及び防臭を行うことが開示されている。
【先行技術文献】
【特許文献】
【０００３】
【特許文献１】特開２００６−２００３５８号公報
【発明の概要】
【発明が解決しようとする課題】
【０００４】
しかしながら、上記従来の技術では、菌の増殖を充分に抑制することができない。
【０００５】
そこで、本発明は、菌糸を有する生物の増殖を従来よりも効率良く抑制することができる菌糸抑制装置及び菌糸抑制方法を提供することを目的とする。
【課題を解決するための手段】
【０００６】
上記目的を達成するため、本発明の一態様に係る菌糸抑制装置は、菌糸を有する生物に光を照射することで、前記菌糸の成長を抑制する菌糸抑制装置であって、ピーク波長が３８０ｎｍ以上４１０ｎｍ以下の範囲に含まれる光を出射する第１光源、及び、ピーク波長が２８０ｎｍ以上３５０ｎｍ未満の範囲に含まれる光を出射する第２光源の少なくとも一方を有する第１光源部と、ピーク波長が３５０ｎｍ以上３８０ｎｍ未満の範囲に含まれる光を出射する第３光源、及び、ピーク波長が４１５ｎｍ以上４８０ｎｍ以下の範囲に含まれる光を出射する第４光源の少なくとも一方を有する第２光源部とを備える。
【０００７】
また、本発明の一態様に係る菌糸抑制方法は、菌糸を有する生物に光を照射することで、前記菌糸の成長を抑制する菌糸抑制方法であって、ピーク波長が３８０ｎｍ以上４１０ｎｍ以下の範囲に含まれる光、及び、ピーク波長が２８０ｎｍ以上３５０ｎｍ未満の範囲に含まれる光の少なくとも一方を前記生物に照射する工程と、ピーク波長が３５０ｎｍ以上３８０ｎｍ未満の範囲に含まれる光、及び、ピーク波長が４１５ｎｍ以上４８０ｎｍ以下の範囲に含まれる光の少なくとも一方を前記生物に照射する工程とを含む。
【０００８】
また、本発明の一態様は、上記菌糸抑制方法をコンピュータに実行させるためのプログラムとして実現することができる。あるいは、当該プログラムを格納したコンピュータ読み取り可能な記録媒体として実現することもできる。
【発明の効果】
【０００９】
本発明によれば、菌糸を有する生物の増殖を従来よりも効率良く抑制することができる。
【図面の簡単な説明】
【００１０】
【図１】図１は、実施の形態に係る菌糸抑制装置の構成を示すブロック図である。
【図２】図２は、実施の形態に係る菌糸抑制装置が備える各光源の出射光のスペクトルを示す図である。
【図３】図３は、実施の形態に係る菌糸抑制装置の模式的な斜視図である。
【図４】図４は、実施の形態に係る菌糸抑制装置の別の構成を示すブロック図である。
【図５】図５は、実施の形態に係る菌糸抑制装置の動作と生物の菌糸の挙動とを示す図である。
【図６】図６は、比較例１及び２と実施例とに係る光の照射時間の一例を示す図である。
【図７】図７は、比較例１及び２と実施例とに係る菌数平均値の時間変化を示す図である。
【発明を実施するための形態】
【００１１】
以下では、本発明の実施の形態に係る菌糸抑制装置及び菌糸抑制方法について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１２】
また、各図は、模式図であり、必ずしも厳密に図示されたものではない。また、各図において、実質的に同一の構成については同一の符号を付しており、重複する説明は省略又は簡略化する。
【００１３】
（実施の形態）
［構成］
まず、本実施の形態に係る菌糸抑制装置の構成について、図１を用いて説明する。図１は、本実施の形態に係る菌糸抑制装置１の構成を示すブロック図である。
【００１４】
図１に示されるように、菌糸抑制装置１は、菌糸９２を有する生物９０に光を照射することで、菌糸９２の成長を抑制する菌糸抑制装置である。菌糸抑制装置１は、生物９０の菌糸９２の成長を抑制することで、生物９０の増殖を抑制することができる。
【００１５】
生物９０は、例えば、カビ若しくは酵母などの真菌類、又は、真正細菌などの細菌類などの日常的に“菌”と呼ばれるものである。例えば、生物９０は、黒カビ（クロカワカビとも言う）及びピンク酵母などである。黒カビは、具体的には、クラドスポリウム又はクラドスポリオイデスである。ピンク酵母は、具体的には、ロドトルラである。生物９０は、緑膿菌であってもよい。
【００１６】
図１に示されるように、菌糸抑制装置１は、第１光源部１０と、第２光源部２０とを備える。本実施の形態では、菌糸抑制装置１は、さらに、制御部３０と、時間設定部４０とを備える。
【００１７】
第１光源部１０は、図１に示されるように、紫色光源１２と、ＵＶＢ光源１５とを有する。
【００１８】
紫色光源１２は、ピーク波長が３８０ｎｍ以上４１０ｎｍ以下の範囲に含まれる紫色光を出射する第１光源の一例である。図１に示されるように、紫色光源１２は、ＬＥＤ（Light Emitting Diode）１３と、フィルタ１４とを有する。
【００１９】
ＬＥＤ１３は、紫色光を含む光を発する発光素子の一例である。ＬＥＤ１３は、例えば、紫色の単色光を発する。
【００２０】
ＬＥＤ１３が発する紫色光は、半値幅が２０ｎｍ以下である発光ピークを有する。なお、半値幅は、例えば、１５ｎｍ以下でもよく、１０ｎｍ以下でもよい。あるいは、半値幅は、２０ｎｍより大きくてもよい。
【００２１】
紫色光が有する発光ピークのピーク波長は、３８０ｎｍ以上４１０ｎｍ以下の範囲に含まれる。なお、ピーク波長は、例えば、３８０ｎｍ以上４００ｎｍ以下の範囲にあってもよい。ピーク波長は、紫色光の分光分布において、発光強度が最大（又は、極大）になるときの波長である。
【００２２】
ＬＥＤ１３は、例えば、図２に示される分光スペクトルを有する紫色光を発する。図２は、本実施の形態に係る菌糸抑制装置１が備える各光源の出射光のスペクトルを示す図である。なお、図２において、横軸は波長であり、縦軸は光の相対エネルギー（強度）を示している。図２に示されるように、ＬＥＤ１３が発する紫色光は、ピーク波長が約３９１ｎｍであり、半値幅が約２４ｎｍである。
【００２３】
なお、ＬＥＤ１３は、紫色の単色光ではなく、紫色光と他の波長成分とを含む光を発してもよい。例えば、ＬＥＤ１３は、紫色光以外の青色光、緑色光などを含む可視光を発してもよい。例えば、ＬＥＤ１３は、白色光を発してもよい。
【００２４】
フィルタ１４は、ＬＥＤ１３から出射される光の一部のみを透過させる。例えば、フィルタ１４は、所定の波長帯域（透過帯域）のみの光を透過させるバンドパスフィルタであり、透過帯域以外の波長の光の透過を十分に抑制する。フィルタ１４の波長帯域は、例えば、３８０ｎｍ以上４１０ｎｍ以下の範囲である。これにより、紫色光源１２から出射される光には、３８０ｎｍ未満の波長の光、及び、４１０ｎｍより長波長の光が含まれないようにすることができる。
【００２５】
ＵＶＢ光源１５は、ピーク波長が２８０ｎｍ以上３５０ｎｍ未満の範囲に含まれる紫外光（ＵＶＢ光）を出射する第２光源の一例である。図１に示されるように、ＵＶＢ光源１５は、ＬＥＤ１６と、フィルタ１７とを有する。
【００２６】
ＬＥＤ１６は、ＵＶＢ光を含む光を発する発光素子の一例である。ＬＥＤ１６が発するＵＶＢ光は、半値幅が３８ｎｍである発光ピークを有する。なお、半値幅は、例えば、７０ｎｍ以下でもよく、１０ｎｍ以下でもよい。
【００２７】
ＵＶＢ光が有する発光ピークのピーク波長は、２８０ｎｍ以上３５０ｎｍ未満の範囲に含まれる。なお、ピーク波長は、望ましくは、２８０ｎｍ以上３３０ｎｍ以下の範囲に含まれるとよい。ピーク波長は、ＵＶＢ光の分光分布において、発光強度が最大（又は、極大）になるときの波長である。
【００２８】
ＬＥＤ１６は、例えば、図２に示される分光スペクトルを有するＵＶＢ光を発する。図２に示されるように、ＬＥＤ１６が発するＵＶＢ光は、ピーク波長が約３１５ｎｍであり、半値幅が約３８ｎｍである。
【００２９】
なお、ＬＥＤ１６は、ＵＶＢ光と他の波長成分とを含む光を発してもよい。例えば、ＬＥＤ１６は、２８０ｎｍ未満の紫外光などを含む光を発してもよい。
【００３０】
フィルタ１７は、ＬＥＤ１６から出射される光の一部のみを透過させる。例えば、フィルタ１７は、所定の波長帯域（透過帯域）のみの光を透過させるバンドパスフィルタであり、透過帯域以外の波長の光の透過を十分に抑制する。フィルタ１７の波長帯域は、例えば、２８０ｎｍ以上３５０ｎｍ未満の範囲である。これにより、ＵＶＢ光源１５から出射される光には、２８０ｎｍ未満の波長の光、及び、３５０ｎｍ以上の長波長の光が含まれないようにすることができる。
【００３１】
第１光源部１０が点灯した場合に出射される光は、３８０ｎｍ以上４１０ｎｍ以下の範囲の波長の紫色光、若しくは、２８０ｎｍ以上３５０ｎｍ未満のＵＶＢ光、又は、これらの混合光であり、これらはいずれも、菌糸９２の成長を抑制することができる。具体的には、紫色光は、菌糸９２を弱体化させる機能を有する光である。また、ＵＶＢ光は、菌糸９２を破壊する機能を有する光である。
【００３２】
第２光源部２０は、図１に示されるように、青色光源２２と、ＵＶＡ光源２５とを有する。青色光源２２は、ピーク波長が４１５ｎｍ以上４８０ｎｍ以下の範囲に含まれる青色光を出射する第４光源の一例である。図１に示されるように、青色光源２２は、ＬＥＤ２３と、フィルタ２４とを有する。
【００３３】
ＬＥＤ２３は、青色光を含む光を発する発光素子の一例である。ＬＥＤ２３は、例えば、青色の単色光を発する。
【００３４】
ＬＥＤ２３が発する青色光は、半値幅が２５ｎｍである発光ピークを有する。なお、半値幅は、例えば、７０ｎｍ以下でもよく、１０ｎｍ以下でもよい。
【００３５】
青色光が有する発光ピークのピーク波長は、４１５ｎｍ以上４８０ｎｍ以下の範囲に含まれる。なお、ピーク波長は、望ましくは、４３０ｎｍ以上４７０ｎｍ以下の範囲に含まれるとよい。ピーク波長は、青色光の分光分布において、発光強度が最大（又は、極大）になるときの波長である。
【００３６】
ＬＥＤ２３は、例えば、図２に示される分光スペクトルを有する青色光を発する。図２に示されるように、ＬＥＤ２３が発する青色光は、ピーク波長が約４７０ｎｍであり、半値幅が約２４ｎｍである。
【００３７】
なお、ＬＥＤ２３は、青色の単色光ではなく、青色光と他の波長成分とを含む光を発してもよい。例えば、ＬＥＤ２３は、青色光以外の緑色光などを含む可視光を発してもよい。例えば、ＬＥＤ２３は、白色光を発してもよい。
【００３８】
フィルタ２４は、ＬＥＤ２３から出射される光の一部のみを透過させる。例えば、フィルタ２４は、所定の波長帯域（透過帯域）のみの光を透過させるバンドパスフィルタであり、透過帯域以外の波長の光の透過を十分に抑制する。フィルタ２４の波長帯域は、例えば、４１５ｎｍ以上４８０ｎｍ以下の範囲である。これにより、青色光源２２から出射される光には、４１５ｎｍ未満の波長の光、及び、４８０ｎｍより長波長の光が含まれないようにすることができる。
【００３９】
ＵＶＡ光源２５は、ピーク波長が３５０ｎｍ以上３８０ｎｍ未満の範囲に含まれる紫外光（ＵＶＡ光）を出射する第３光源の一例である。図１に示されるように、ＵＶＡ光源２５は、ＬＥＤ２６と、フィルタ２７とを有する。
【００４０】
ＬＥＤ２６は、ＵＶＡ光を含む光を発する発光素子の一例である。ＬＥＤ２６が発するＵＶＢＡは、半値幅が３３ｎｍである発光ピークを有する。なお、半値幅は、例えば、５０ｎｍ以下でもよく、１０ｎｍ以下でもよい。
【００４１】
ＵＶＡ光が有する発光ピークのピーク波長は、３５０ｎｍ以上３８０ｎｍ未満の範囲に含まれる。ピーク波長は、ＵＶＡ光の分光分布において、発光強度が最大（又は、極大）になるときの波長である。
【００４２】
ＬＥＤ２６は、例えば、図２に示される分光スペクトルを有するＵＶＡ光を発する。図２に示されるように、ＬＥＤ２６が発するＵＶＡ光は、ピーク波長が約３６５ｎｍであり、半値幅が約３３ｎｍである。
【００４３】
なお、ＬＥＤ２６は、ＵＶＡ光と他の波長成分とを含む光を発してもよい。例えば、ＬＥＤ２６は、３５０ｎｍ未満の紫外光などを含む光を発してもよい。
【００４４】
フィルタ２７は、ＬＥＤ２６から出射される光の一部のみを透過させる。例えば、フィルタ２７は、所定の波長帯域（透過帯域）のみの光を透過させるバンドパスフィルタであり、透過帯域以外の波長の光の透過を十分に抑制する。フィルタ２７の波長帯域は、例えば、３５０ｎｍ以上３８０ｎｍ未満の範囲である。これにより、ＵＶＡ光源２５から出射される光には、３５０ｎｍ未満の波長の光、及び、３８０ｎｍ以上の長波長の光が含まれないようにすることができる。
【００４５】
第２光源部２０が点灯した場合に出射される光は、４１５ｎｍ以上４８０ｎｍ以下の範囲の波長の青色光、若しくは、３５０ｎｍ以上３８０ｎｍ未満の範囲の波長のＵＶＡ光、又は、これらの混合光であり、これらは、菌糸９２の成長を促進させることができる。具体的には、青色光及びＵＶＡ光はいずれも、生物９０の菌糸９２を細長く伸ばす機能を有する。
【００４６】
制御部３０は、第１光源部１０及び第２光源部２０の点灯及び消灯を制御する。具体的には、制御部３０は、第１光源部１０及び第２光源部２０の各々の点灯時間、点灯の開始及び終了のタイミング、点灯方法（光の照射範囲など）を制御する。例えば、制御部３０は、外部電源又は電池などから供給される電力を、第１光源部１０及び第２光源部２０に供給することで、第１光源部１０及び第２光源部２０を点灯させる。
【００４７】
制御部３０は、例えば、マイコン（マイクロコントローラ）である。制御部３０は、例えば、プログラムが格納された不揮発性メモリ、プログラムを実行するための一時的な記憶領域である揮発性メモリ、入出力ポート、プログラムを実行するプロセッサなどで実現される。制御部３０の機能は、プロセッサによって実行されるソフトウェアで実現されてもよく、複数の回路素子を含む電子回路などのハードウェアで実現されてもよい。
【００４８】
本実施の形態では、制御部３０は、第２光源部２０を点灯させた後、第１光源部１０を点灯させる。制御部３０は、第１光源部１０を点灯させた後に、第２光源部２０を点灯させてもよい。例えば、制御部３０は、第１光源部１０の点灯と第２光源部２０の点灯とを交互に繰り返し行う。制御部３０は、第１光源部１０を点灯させている期間には第２光源部２０を消灯する。制御部３０は、第２光源部２０を点灯させている期間には第１光源部１０を消灯する。つまり、制御部３０は、第１光源部１０と第２光源部２０とを排他的に点灯させる。
【００４９】
例えば、制御部３０は、第２光源部２０からの光の照射積算量が、第１光源部１０からの光の照射積算量以下になるように、第１光源部１０及び第２光源部２０を制御する。照射積算量は、単位時間当たりの照射量と照射時間との積で表される。
【００５０】
本実施の形態では、制御部３０は、第２光源部２０からの光の照射時間が、第１光源部１０からの光の照射時間以下になるように、第１光源部１０及び第２光源部２０を制御する。具体的には、制御部３０は、時間設定部４０によって設定された時間情報に基づいて、第１光源部１０及び第２光源部２０を制御する。
【００５１】
なお、紫色光源１２とＵＶＢ光源１５とは、第１光源部１０からの光の照射期間内で同時に点灯されるが、時間排他的に点灯されてもよい。このとき、例えば、紫色光源１２の点灯時間は、ＵＶＢ光源１５の点灯時間以上であってもよい。また、青色光源２２とＵＶＡ光源２５とは、第２光源部２０からの光の照射期間内で同時に点灯されるが、時間排他的に点灯されてもよい。このとき、例えば、青色光源２２の点灯時間は、ＵＶＡ光源２５の点灯時間以上であってもよい。
【００５２】
また、制御部３０は、第２光源部２０からの光の照射エネルギーが第１光源部１０からの光の照射エネルギー以下になるように、第１光源部１０及び第２光源部２０を制御してもよい。つまり、菌糸９２の成長を抑制する光の照射エネルギーが、菌糸９２の成長を促進させる光の照射エネルギー以下になるように、第１光源部１０及び第２光源部２０を制御してもよい。
【００５３】
時間設定部４０は、第１光源部１０及び第２光源部２０の照射時間を設定する。時間設定部４０は、例えば、ユーザからの指示、又は、予め定められたスケジュール情報などに基づいて第１光源部１０及び第２光源部２０の照射時間を設定する。スケジュール情報は、例えば、光の照射の開始のタイミング及び終了のタイミングなどを示す情報であり、メモリ（図示せず）などに記憶されている。
【００５４】
図示しないが、菌糸抑制装置１は、光の照射を開始及び停止するための操作スイッチが設けられていてもよい。また、菌糸抑制装置１は、電池を備えてもよく、外部電源からの電力を受けるためのコンセントプラグなどを備えてもよい。
【００５５】
図３は、本実施の形態に係る菌糸抑制装置１の模式的な斜視図である。図３において、第１光源部１０に含まれるＬＥＤ１３及び１６には、密なドットの網掛けを付しており、第２含まれるＬＥＤ２３及び２６には、疎なドットの網掛けを付している。なお、図３では、各フィルタの図示を省略している。各ＬＥＤからの光量は、例えば同じであるが、異なっていてもよい。
【００５６】
菌糸抑制装置１では、図３に示されるように、複数のＬＥＤ１３、１６、２３及び２６は面内に分散して配置されている。例えば、菌糸抑制装置１は、複数のＬＥＤ１３のみを点灯した場合に出射される紫色光の照射範囲と、複数のＬＥＤ１６のみを点灯した場合に出射されるＵＶＢ光の照射範囲と、複数のＬＥＤ２３のみを点灯した場合に出射される青色光と、複数のＬＥＤ２６のみを点灯した場合に出射されるＵＶＡ光の照射範囲とが互いに同じになるように構成されている。
【００５７】
本実施の形態では、第１光源部１０に含まれるＬＥＤ１３又は１６の個数が、第２光源部２０に含まれるＬＥＤ２３又は２６の個数より多くなるように設けられている。具体的には、紫色光を発するＬＥＤ１３の個数が最も多く、ＵＶＢ光を発するＬＥＤ１６、青色光を発するＬＥＤ２３、ＵＶＡを発するＬＥＤ２６の順で少なくなっている。これにより、紫色光の照射エネルギーが最も大きく、ＵＶＢ光、青色光、ＵＶＡ光の順で小さくなる。
【００５８】
ここでは、各ＬＥＤの出力は同じ大きさであるが、異なっていてもよい。また、例えば、各ＬＥＤの個数が互いに同数であってもよい。この場合には、紫色光を発するＬＥＤ１３の出力が最も大きく、ＵＶＢ光を発するＬＥＤ１６、青色光を発するＬＥＤ２３、ＵＶＡを発するＬＥＤ２６の順で小さくなってもよい。
【００５９】
また、本実施の形態では、菌糸抑制装置１が紫色光源１２、ＵＶＢ光源１５、青色光源２２及びＵＶＡ光源２５の４つの光源を備える例について示したが、これに限らない。菌糸抑制装置１は、紫色光源１２及びＵＶＢ光源１５の少なくとも一方と、青色光源２２及びＵＶＡ光源２５の少なくとも一方とを備えればよい。
【００６０】
図４は、本実施の形態に係る菌糸抑制装置の別の構成を示すブロック図である。図４に示される菌糸抑制装置２は、図１に示される菌糸抑制装置１と比較して、第１光源部１０及び第２光源部２０の代わりに、第１光源部１１及び第２光源部２１を備える点が相違する。
【００６１】
第１光源部１１は、紫色光源１２のみを有する。つまり、第１光源部１１は、ＵＶＢ光源１５を有しない。
【００６２】
第２光源部２１は、青色光源２２のみを有する。つまり、第２光源部２１は、ＵＶＡ光源２５を有しない。
【００６３】
このように、菌糸抑制装置２は、可視光を出射する光源のみを備え、紫外光を出射する光源を有しない。このため、紫外光に弱い樹脂材料などを用いて形成された部材が光の照射範囲に含まれる場合であっても、菌糸９２の抑制処理を行うことができる。つまり、菌糸抑制装置２は、使用環境に制限が少なく、汎用性の高い菌糸抑制装置として実現される。
【００６４】
［動作］
続いて、上述した菌糸抑制装置１の動作について、図５を用いて説明する。図５は、本実施の形態に係る菌糸抑制装置１の動作と生物９０の菌糸９２の挙動とを示す図である。なお、菌糸抑制装置２の動作は、菌糸抑制装置１の動作と同じであるので、説明を省略する。
【００６５】
まず、図５の（ａ）に示されるように、第１光源部１０からの光を生物９０に照射する。具体的には、制御部３０が、第１光源部１０に含まれるＬＥＤ１３及び１６に電力を供給することで、ＬＥＤ１３及び１６を点灯させ、ＬＥＤ１３及び１６からの紫色光及びＵＶＢ光を生物９０に照射する。なお、菌糸抑制装置２の場合は、ＬＥＤ１３からの紫色光のみを生物９０に照射する。紫色光及びＵＶＢ光が照射されることにより、菌糸９２の成長が抑制される。
【００６６】
次に、図５の（ｂ）に示されるように、第２光源部２０からの光を生物９０に照射する。このとき、第１光源部１０からの光の照射を停止する。具体的には、制御部３０が、第２光源部２０に含まれるＬＥＤ２３及び２６に電力を供給することで、ＬＥＤ２３及び２６を点灯させ、ＬＥＤ２３及び２６からの青色光及びＵＶＡ光を生物９０に照射する。このとき、制御部３０は、第１光源部１０に含まれるＬＥＤ１３及び１６への電力の供給を停止するので、ＬＥＤ１３及び１６からの紫色光及びＵＶＢ光が生物９０には照射されない。なお、菌糸抑制装置２の場合は、ＬＥＤ２３からの青色光のみを生物９０に照射する。
【００６７】
青色光及びＵＶＡ光が照射されることにより、菌糸９２の成長が促進される。具体的には、図５の（ｂ）に示されるように、菌糸９２は細長く伸びる。細長く伸びた菌糸９２は、弱く破壊されやすくなる。
【００６８】
次に、図５の（ｃ）に示されるように、第１光源部１０からの光を生物９０に照射する。具体的な処理は、図５の（ａ）と同じである。紫色光及びＵＶＢ光が照射されることで、長く伸びた菌糸９２は、更に弱り又は破壊される。また、このとき、新しい菌糸９４の成長は抑制される。弱った菌糸９２は、その後の成長が止まり、最終的に破壊される。
【００６９】
以降、図５の（ｄ）に示されるように、第２光源部２０からの光の照射と第１光源部１０からの光の照射とが繰り返される。繰り返された結果、新しい菌糸９４及び９６の成長が抑制される。
【００７０】
［試験結果］
続いて、本実施の形態に係る菌糸抑制装置１又は２による効果を確認するために実際に行った試験結果について説明する。
【００７１】
対象となる生物９０の一例である試験菌として、ピンク酵母（ロドトルラ）を用いた。具体的には、菌密度を約１０４ＣＦＵ／ｍＬに調製した後、図６に示される比較例１、比較例２及び実施例の各条件下に曝した。その後、３日間培養を行い、菌数のカウントを行った。
【００７２】
図６は、比較例１及び２と実施例とに係る光の照射時間の一例を示す図である。図６の（ａ）〜（ｃ）はそれぞれ、比較例１、比較例２及び実施例の各々の光の照射条件を示している。図６の（ａ）〜（ｃ）の各々において、横軸は時間を示している。
【００７３】
図６の（ａ）に示されるように、比較例１では、試験菌を２４時間、暗所に放置した。図６の（ｂ）に示されるように、比較例２では、２４時間、照射強度が５００μＷ／ｃｍ２で、ピーク波長が３９１ｎｍの紫色光を試験菌に照射した。図６の（ｃ）に示されるように、実施例では、照射強度が５００μＷ／ｃｍ２で、ピーク波長が３９１ｎｍの紫色光の照射と、照射強度が５００μＷ／ｃｍ２で、ピーク波長が４７０ｎｍの青色光の照射とを交互に繰り返し行った。紫色光の照射時間は２時間であり、青色光の照射は１時間であり、各々８回繰り返すことで、合計で２４時間の照射を行った。
【００７４】
図７は、比較例１及び２と実施例とに係る菌数平均値の時間変化を示す図である。図７において、横軸は経過時間を表し、縦軸は菌数平均値を表している。経過時間が２４時間に達するまでの時間が図６の（ｂ）及び（ｃ）に示される光の照射時間に相当する。経過時間が２４時間以降は、その後の放置時間である。２４時間以降は、比較例１及び２並びに実施例のいずれも暗所で放置した。
【００７５】
図７に示されるように、比較例１では、時間の経過とともに菌数が増加している。比較例２及び実施例では、光の照射を停止した時点（すなわち、２４時間の経過時点）では、いずれも菌数が減少している。このとき、実施例の方が比較例２に比べて、１桁以上の菌数の減少が確認された。つまり、実施例の方が比較例２に比べて菌の抑制効果が高いことが分かる。この要因として、紫色光の照射だけでは、菌が紫色光に順応し、紫色光による抑制効果が弱まったことが考えられる。
【００７６】
また、光の照射を停止した後（すなわち、２４時間以降）においても、実施例では、菌数の増加がほとんど確認できなかったのに対して、比較例２においては菌数が徐々に増加した。このように、本実施の形態によれば、光の照射を停止した後における菌の増殖も抑制することができる。したがって、次に光を照射するまでのインターバル（無照射期間）を長く確保することができるので、省エネルギー化も実現することができる。
【００７７】
［効果など］
以上のように、本実施の形態に係る菌糸抑制装置１又は２は、菌糸９２を有する生物９０に光を照射することで、菌糸９２の成長を抑制する菌糸抑制装置であって、ピーク波長が３８０ｎｍ以上４１０ｎｍ以下の範囲に含まれる光を出射する紫色光源１２、及び、ピーク波長が２８０ｎｍ以上３５０ｎｍ未満の範囲に含まれる光を出射するＵＶＢ光源１５の少なくとも一方を有する第１光源部１０又は１１と、ピーク波長が３５０ｎｍ以上３８０ｎｍ未満の範囲に含まれる光を出射するＵＶＡ光源２５、及び、ピーク波長が４１５ｎｍ以上４８０ｎｍ以下の範囲に含まれる光を出射する青色光源２２の少なくとも一方を有する第２光源部２０又は２１とを備える。
【００７８】
これにより、第１光源部１０又は１１からの光によって菌糸９２の成長が抑制され、かつ、第２光源部２０又は２１からの光によって菌糸９２の成長が促進される。菌糸９２の成長の抑制と促進との２つの機能を有する光が照射されることにより、菌糸９２の耐性がつきにくくなり、菌糸９２を有する生物９０の増殖を従来よりも効率良く抑制することができる。
【００７９】
また、例えば、菌糸抑制装置１又は２は、さらに、第２光源部２０又は２１を点灯させた後、第１光源部１０又は１１を点灯させる制御部３０を備える。
【００８０】
これにより、第２光源部２０又は２１からの、菌糸９２の成長を促進する光を生物９０に照射した場合、菌糸９２は細長く伸びて弱くなる。弱く伸びた菌糸９２に対して、第１光源部１０又は１１からの、菌糸９２の成長を抑制するための光が照射されることで、菌糸９２が破壊されやすくなる。これにより、菌糸９２を有する生物９０の増殖を従来よりも効率良く抑制することができる。
【００８１】
また、例えば、制御部３０は、第１光源部１０又は１１を点灯させている期間には第２光源部２０又は２１を消灯し、第２光源部２０又は２１を点灯させている期間には第１光源部１０又は１１を消灯する。
【００８２】
これにより、菌糸９２の成長の促進と抑制とを分けることで、抑制効果を更に高めることができる。
【００８３】
また、例えば、制御部３０は、第１光源部１０又は１１の点灯と第２光源部２０又は２１の点灯とを交互に繰り返し行う。
【００８４】
これにより、菌糸９２を有する生物９０の増殖を更に効率良く抑制することができる。
【００８５】
また、例えば、第１光源部１０は、紫色光源１２と、ＵＶＢ光源１５とを有する。第２光源部２０は、ＵＶＡ光源２５と、青色光源２２とを有する。
【００８６】
これにより、紫外光を利用することで、菌糸９２を破壊することができるので、生物９０の増殖を更に効率良く抑制することができる。
【００８７】
また、例えば、第１光源部１１は、紫色光源１２及びＵＶＢ光源１５のうち紫色光源１２のみを有する。第２光源部２１は、ＵＶＡ光源２５及び青色光源２２のうち青色光源２２のみを有する。
【００８８】
これにより、菌糸抑制装置１は、紫外光を出射する光源を備えないので、紫外光に弱い樹脂材料などで形成されている部材に付着した、又は、当該部材の近傍に存在する生物９０の増殖の抑制に利用することができる。このように、紫外光の光源を備える場合に比べて使用可能な環境の制限が少なく、菌糸抑制装置１の汎用性を高めることができる。
【００８９】
また、例えば、第２光源部２０又は２１からの光の照射エネルギーは、第１光源部１０又は１１からの光の照射エネルギー以下である。
【００９０】
これにより、細長く成長した菌糸９２を十分に弱らせることができるので、生物９０の増殖を更に効率良く抑制することができる。
【００９１】
また、例えば、第２光源部２０又は２１からの光の照射積算量は、第１光源部１０又は１１からの光の照射積算量以下である。
【００９２】
これにより、細長く成長した菌糸９２を十分に弱らせることができるので、生物９０の増殖を更に効率良く抑制することができる。
【００９３】
また、例えば、第２光源部２０又は２１からの光の照射時間は、第１光源部１０又は１１からの光の照射時間以下である。
【００９４】
これにより、細長く成長した菌糸９２を十分に弱らせることができるので、生物９０の増殖を更に効率良く抑制することができる。
【００９５】
また、例えば、生物９０は、黒カビ又はピンク酵母である。
【００９６】
これにより、浴室若しくはキッチンなどの水廻り設備、又は、天井裏若しくは床下などの湿気が多い場所に発生しやすい黒カビ又はピンク酵母などの成長を効率良く抑制することができる。
【００９７】
また、例えば、生物９０は、緑膿菌であってもよい。
【００９８】
緑膿菌は、免疫の低下した人物に感染した場合に、緑膿菌感染症を引き起こす恐れがある。菌糸抑制装置１又は２によれば、緑膿菌の成長が抑制されるので、病気の予防に役立てることができる。
【００９９】
また、例えば、本実施の形態に係る菌糸抑制方法は、菌糸９２を有する生物９０に光を照射することで、菌糸９２の成長を抑制する菌糸抑制方法であって、ピーク波長が３８０ｎｍ以上４１０ｎｍ以下の範囲に含まれる光、及び、ピーク波長が２８０ｎｍ以上３５０ｎｍ未満の範囲に含まれる光の少なくとも一方を生物９０に照射する工程と、ピーク波長が３５０ｎｍ以上３８０ｎｍ未満の範囲に含まれる光、及び、ピーク波長が４１５ｎｍ以上４８０ｎｍ以下の範囲に含まれる光の少なくとも一方を生物９０に照射する工程とを含む。
【０１００】
これにより、上述した菌糸抑制装置１又は２と同様に、菌糸９２を有する生物９０の増殖を従来よりも効率良く抑制することができる。
【０１０１】
（その他）
以上、本発明に係る菌糸抑制装置及び菌糸抑制方法について、上記の実施の形態に基づいて説明したが、本発明は、上記の実施の形態に限定されるものではない。
【０１０２】
例えば、上記の実施の形態では、菌糸９２を有する生物９０として、黒カビ、ピンク酵母及び緑膿菌を例として示したが、これに限らない。例えば、生物９０は、うどんこ病、いもち病などを発生させる糸状菌などであってもよい。
【０１０３】
また、上記の実施の形態に係る菌糸抑制装置１又は２及び菌糸抑制方法によればカビ及び酵母などの発生を抑制することができるので、カビ及び酵母などを餌とする害虫の発生も抑制することができる。例えば、カビ又は酵母を餌とするチャタテムシの発生を抑制することができる。これに伴って、さらに、チャタテムシを餌とするツメダニの発生も抑制することができる。
【０１０４】
このように、カビ及び酵母などの菌類の発生を抑制することで、人体に害をなす害虫の発生を抑制することができる。すなわち、上記実施の形態に係る菌糸抑制装置１又は２及び菌糸抑制方法は、害虫の駆除及び防除効果も間接的に有する。
【０１０５】
また、例えば、菌糸抑制装置１又は２からの光の照射範囲に、予め光触媒を配置しておいてもよい。菌糸抑制装置１又は２からの光が光触媒に照射されることで、光触媒が活性化されて菌糸９２の分解を促進することができる。
【０１０６】
また、例えば、上記の実施の形態では、菌糸抑制装置１又は２は、光の種類毎にＬＥＤ及びフィルタを備える例を示したが、１つの光源（ＬＥＤ）と２つ以上のフィルタとを備えてもよい。つまり、第１光源部と第２光源部とで、１つの光源を共有してもよい。例えば、１つの光源から出射される光が通過するフィルタを機械的に切り替えることで、２種類の光を出射させてもよい。あるいは、フィルタの光入射側又は光出射側に開閉可能な遮光壁が設けられ、当該遮光壁の開閉を切り替えることで、２種類の光を出射させてもよい。
【０１０７】
また、例えば、第１光源部１０の点灯と第２光源部２０の点灯とが同時に行われてもよい。例えば、制御部３０は、第１光源部１０を点灯している間に、第２光源部２０を点灯させ、その後に、第１光源部１０を消灯してもよい。同様に、制御部３０は、第２光源部２０を点灯している間に、第１光源部１０を点灯させ、その後に、第２光源部２０を消灯してもよい。このように、第１光源部１０の点灯と第２光源部２０の点灯とは、完全に時間排他的に行われなくてもよく、各々の点灯期間の一部が重複していてもよい。
【０１０８】
また、例えば、菌糸抑制装置１又は２は、浴室の排水口などに取り付けて使用されるが、これに限らない。菌糸抑制装置１又は２は、水又は水蒸気に触れうるあらゆる環境に適用することができる。
【０１０９】
例えば、菌糸抑制装置１又は２は、住宅などの一般家庭に利用することができる。具体的には、菌糸抑制装置１又は２は、トイレ、キッチン、洗面台、排水管などの水廻り設備に設置されてもよい。あるいは、菌糸抑制装置１又は２は、床下、天井裏、窓のサッシなどの結露しやすい部位に設置されてもよい。また、菌糸抑制装置１又は２は、風通しの悪い下駄箱、衣装ケース、押入れなどに設置されてもよい。
【０１１０】
また、例えば、菌糸抑制装置１又は２は、電気製品に設置されてもよい。具体的には、菌糸抑制装置１又は２は、食洗機、洗濯機、冷蔵庫、炊飯器、アルカリイオン整水器、掃除機、又は、換気扇、除湿器、乾燥機若しくは加湿器などの空調設備などに設置されてもよい。
【０１１１】
また、例えば、菌糸抑制装置１又は２は、農水畜産分野にも利用することができる。具体的には、菌糸抑制装置１又は２は、ビニルハウス、食品加工工場、と畜場、魚類配送センター、卸売市場などに設置されてもよい。例えば、食品加工工場には、缶詰、カット野菜、粉末、酒類、冷凍食品などの各種食品の加工工場が含まれる。また、菌糸抑制装置１又は２は、人工光を利用した植物工場、人工光と太陽光とを併用した施設園芸、露地栽培の外灯などに利用することができる。
【０１１２】
また、例えば、菌糸抑制装置１又は２は、工業分野にも利用することができる。例えば、菌糸抑制装置１又は２は、半導体ウェハの製造工場などの排水設備などに設置されてもよい。
【０１１３】
また、例えば、菌糸抑制装置１又は２は、オフィスビル、病院、介護施設、給食センター若しくは学校などの各種施設などの各種建造物に設置することもできる。また、例えば、菌糸抑制装置１又は２は、カフェ、レストラン、バーなどの飲食店、又は、花屋、ペットショップなどの小売店などの店舗に設置されてもよい。また、例えば、菌糸抑制装置１又は２は、スーパーマーケット又はデパートメントストアなどの食品売り場に設置されてもよい。具体的には、菌糸抑制装置１又は２は、天井を含む鮮魚コーナー又は冷蔵設備付近に利用されてもよい。
【０１１４】
また、上記の実施の形態において、制御部３０及び時間設定部４０などの構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１１５】
なお、本発明は、菌糸抑制装置として実現できるだけでなく、菌糸抑制装置の各構成要素が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１１６】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１１７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１８】
１、２  菌糸抑制装置
１０、１１  第１光源部
１２  紫色光源（第１光源）
１５  ＵＶＢ光源（第２光源）
２０、２１  第２光源部
２２  青色光源（第４光源）
２５  ＵＶＡ光源（第３光源）
３０  制御部
９０  生物
９２、９４、９６  菌糸
【図１】
2020044218.tif 000003
【図２】
2020044218.tif 000004
【図３】
2020044218.tif 000005
【図４】
2020044218.tif 000006
【図５】
2020044218.tif 000007
【図６】
2020044218.tif 000008
【図７】
2020044218.tif 000009